(57)【要約】【課題】  トレイ本体を引き出すときに、トレイ本体の引き出し完了付近でトレイ本体の引き出し動作速度を抑制できて、装置本体側のストッパーにトレイ本体が衝突するときの衝突音を低減させることができるディスク装置を提供する。【解決手段】  装置本体４に上向きに突設されたディスクトレイ移動用ガイドボス５を、トレイ本体の１ガイドレール３に嵌め込んでトレイ本体１の出し入れの移動がスムーズに行われるようにしたディスク装置において、前記トレイ本体１におけるガイドレール３の後端３ａの対向する箇所のレール幅が狭められており、前記トレイ本体１が引き出される際に、トレイ本体１の引出し動作速度を抑制するように構成した。【選択図】  図１
2005317080.tif 000002
【特許請求の範囲】
【請求項１】
装置本体に上向きに突設されたディスクトレイ移動用ガイドボスを、トレイ本体のガイドレールに嵌め込んでトレイ本体の出し入れの移動がスムーズに行われるようにしたディスク装置において、前記トレイ本体におけるガイドレールの後端の対向する箇所のレール幅が狭められており、前記トレイ本体が引き出される際に、トレイ本体の引出し動作速度を抑制するように構成したことを特徴とするディスク装置。
【請求項２】
装置本体に突設されたトレイ移動用ガイドボスを、トレイ本体のガイドレールに嵌め込んでトレイの引出しと押し込みの移動がスムーズに行われるようにしたディスク装置において、前記トレイ本体におけるガイドレールの後端に、トレイ本体の引出し動作速度を抑制するための抑制手段を設けたことを特徴とするディスク装置。
【請求項３】
前記抑制手段は、前記ガイドレールの後端近傍部分が互いに狭められて後端部分が開くように形成された略く字形の屈曲部からなる請求項２に記載のディスク装置。
【請求項４】
前記抑制手段は、前記ガイドレールの後端近傍部分の対向する内面に、互いに狭められて後端部分が開くように形成された略く字形の肉盛り部からなる請求項２に記載のディスク装置。
【発明の詳細な説明】
【技術分野】
【０００１】
本発明は、トレイ本体を引き出す際に、トレイ本体の引き出し移動の速度を抑制してトレイ本体が装置本体側のストッパーに当たる衝撃音の低減を図るようにしたディスク装置に関するものである。
【背景技術】
【０００２】
一般に、ディスク装置では、装置本体に突設されたディスクトレイ移動用ガイドボスに、トレイ本体のガイドレールが嵌め込まれて、トレイ本体の出し入れの移動をスムーズに行うことができるように構成されていた。更に、トレイ本体を引き出すときに装置本体側に設けられたストッパーにトレイ本体を衝突させてトレイ本体が抜き出ることを防止することを防いだ構成となっている。
【０００３】
ところが、トレイ本体を引き出すときに、トレイ本体がストッパーに当たるので、その際に衝突音が発生するという問題があった。
【０００４】
第１の従来技術を図７に示す。この従来技術のディスク装置は、図７に示すように、フック状のトレイ押え１１２が形成されているとともに、トレイ１０２を装置本体１０１に装着する際に、フック状のトレイ押え１１２が横方向に撓んでトレイ１０２が装着可能なように構成されている。トレイ１０２の溝部１１７および装着本体１０１のレール１０３のうち、トレイ１０２の引き出した時に係合する部分をテーパ形状に形成する事によって、テーパ形状のレール１１１とテーパ形状の溝部１１７ａとの摩擦力により、トレイ１０２を引き出し端で停止させるようになっている。（例えば、特許文献１参照）。
【０００５】
ところが、これにおいては、トレイ１０２を入れるときに、トレイ１０２側のレール１１１の先端が装置本体１０１のレール１０３に当たってしまってトレイ１０２を入れ難いという問題があった。
【特許文献１】特開２００３−１９６９０７号公報
【発明の開示】
【発明が解決しようとする課題】
【０００６】
本発明は、上記従来の問題に鑑みてなされたものであって、トレイ本体を引き出すときに、トレイ本体の引き出し完了付近でトレイ本体の引き出し動作速度を抑制できて、装置本体側のストッパーにトレイ本体が衝突するときの衝突音を低減させることができるディスク装置を提供することを目的としている。
【課題を解決するための手段】
【０００７】
本発明は、上記課題を解決するために提案されたものであって、請求項１に記載の発明は、装置本体に上向きに突設されたディスクトレイ移動用ガイドボスを、トレイ本体のガイドレールに嵌め込んでトレイ本体の出し入れの移動がスムーズに行われるようにしたディスク装置において、前記トレイ本体におけるガイドレールの後端の対向する箇所のレール幅が狭められており、前記トレイ本体が引き出される際に、トレイ本体の引出し動作速度を抑制するように構成したことを特徴としている。
【０００８】
請求項２に記載の発明は、装置本体に突設されたトレイ移動用ガイドボスを、トレイ本体のガイドレールに嵌め込んでトレイの引出しと押し込みの移動がスムーズに行われるようにしたディスク装置において、前記トレイ本体におけるガイドレールの後端に、トレイ本体の引出し動作速度を抑制するための抑制手段を設けたことを特徴としている。
【０００９】
請求項３に記載の発明は、前記抑制手段は、前記ガイドレールの後端近傍部分が互いに狭められて後端部分が開くように形成された略く字形の屈曲部からなるものである。
【００１０】
請求項４に記載の発明は、前記抑制手段は、前記ガイドレールの後端近傍部分の対向する内面に、互いに狭められて後端部分が開くように形成された略く字形の肉盛り部からなるものである。
【発明の効果】
【００１１】
請求項１に記載の発明によれば、トレイ本体を引き出すときに、その引き出し完了付近で装置本体のトレイ移動用ガイドボスがトレイ本体のガイドレールの後端の狭められたレール幅の部分に位置し、トレイ本体の移動が抑制されて移動速度が遅くなるので、装置本体側のストッパーにトレイ本体が衝突するときの衝突音を低減するさせることができる。
【００１２】
請求項２に記載の発明によれば、トレイ本体を引き出すときに、その引き出し完了付近で装置本体のトレイ移動用ガイドボスがトレイ本体のガイドレールの後端の抑制手段の部分に位置し、トレイ本体の移動が抑制されて移動速度が遅くなるので、装置本体側のストッパーにトレイ本体が衝突するときの衝突音を低減するさせることができる。
【００１３】
請求項３に記載の発明によれば、トレイ本体を引き出すときに、その引き出し完了付近で装置本体のトレイ移動用ガイドボスがトレイ本体のガイドレールの後端の抑制手段を形成する略く字形の屈曲部の狭められた部分に位置し、トレイ本体の移動が抑制されて移動速度が遅くなるので、装置本体側のストッパーにトレイ本体が衝突するときの衝突音を低減するさせることができる。また、略く字形の屈曲部の後端部分が開くように形成されているので、トレイ本体を装置本体内に入れるときに、この入れる動作をスムーズに行うことができる。
【００１４】
請求項４に記載の発明によれば、トレイ本体を引き出すときに、その引き出し完了付近で装置本体のトレイ移動用ガイドボスがトレイ本体のガイドレールの後端の抑制手段を形成する略く字形の肉盛り部の狭められた部分に位置し、トレイ本体の移動が抑制されて移動速度が遅くなるので、装置本体側のストッパーにトレイ本体が衝突するときの衝突音を低減するさせることができる。また、略く字形の肉盛り部の後端部分が開くように形成されているので、トレイ本体を装置本体内に入れるときに、この入れる動作をスムーズに行うことができる。
【発明を実施するための最良の形態】
【００１５】
以下、本発明に係るディスク装置の実施の形態について、図を参照しつつ説明する。
【００１６】
図１は本発明のディスク装置におけるトレイ本体の裏面図、図２は同ディスク装置における装置本体の概略平面図、図３は図２の装置本体にトレイ本体を組み込んだ状態の概略平面図、図４はディスク装置におけるトレイ本体のガイドレール後端部分の形状を示す部分拡大裏面図である。
【００１７】
図１に示すように、この実施形態のディスク装置のトレイ本体１には、図にて左側に前後方向に向けてラック２が設けられ、右側にガイドレール３が設けられている。このガイドレール３の後端３ａは、図４に詳細に示すように、対向する箇所のレール幅が狭められるように形成されている。
【００１８】
図２に示すように、装置本体４の左側の後端に上向きにディスクトレイ移動用ガイドボス５が突設されている。また、右側には、駆動モータ６とこの駆動モータ６にて回転されるギヤ群７が配置され、最も後端に前記したトレイ本体１のラック２に噛み合うピニオンギヤ８が配置されている。
【００１９】
図３に示すように、装置本体４に前記したトレイ本体１を組み込むと、ピニオンギヤ８とラック２が噛み合って、駆動モータ６の駆動回転によりギヤ群７を介してピニオンギヤ８が回転し、このピニオンギヤ８に噛み合うラック２が前方に向けて移動する。このことにより、装置本体４に対してトレイ本体１が前方に引き出され、装置本体４のガイドボス５に沿ってガイドレール３が前方に向けて移動するようになっている。
【００２０】
図３に一点鎖線で示すように、ガイドレール３の後端３ａがガイドボス５の位置になると、このガイドレール３の後端３ａのレール幅が狭められているので、ガイドレール３の引き出し移動の動作移動が抑制されることとなり、トレイ本体１の前方への移動速度も抑制される。このことにより、引き出し移動する際に装置本体４側のストッパーにトレイ本体１が衝突するときの衝突音を低減することができる。
【００２１】
図５はディスク装置におけるトレイ本体のガイドレール後端部分の第２例の形状を示す部分拡大裏面図である。
【００２２】
この第２例では、図５に示すように、トレイ本体１の引き出し動作速度を抑制するための抑制手段として、ガイドレール３の後端近傍部分が互いに狭められて後端部分が開くように形成された略く字形の屈曲部３ｂが形成されている。この第２例によれば、トレイ本体１を引き出すときに、その引き出し完了付近で装置本体４のトレイ移動用ガイドボス５がトレイ本体１のガイドレール３の後端の抑制手段を形成する略く字形の屈曲部３ｂの狭められた部分に位置し、トレイ本体１の移動が抑制されて移動速度が遅くなるので、装置本体側のストッパーにトレイ本体１が衝突するときの衝突音を低減するさせることができる。また、略く字形の屈曲部３ｂの後端部分が開くように形成されているので、トレイ本体１を装置本体４内に入れるときに、この入れる動作をスムーズに行うことができる。
【００２３】
図６はディスク装置におけるトレイ本体のガイドレール後端部分の第３例の形状を示す部分拡大裏面図である。
【００２４】
この第３例では、トレイ本体１の引き出し動作速度を抑制するための抑制手段として、ガイドレール３の後端近傍部分の対向する内面に、互いに狭められて後端部分が開くように形成された略く字形の肉盛り部３ｃが形成されている。この第２例によれば、トレイ本体１を引き出すときに、その引き出し完了付近で装置本体４のトレイ移動用ガイドボス５がトレイ本体１のガイドレール３の後端の抑制手段を形成する略く字形の肉盛り部３ｃの狭められた部分に位置し、トレイ本体１の移動が抑制されて移動速度が遅くなるので、装置本体４側のストッパーにトレイ本体１が衝突するときの衝突音を低減するさせることができる。また、略く字形の肉盛り部３ｃの後端部分が開くように形成されているので、トレイ本体１を装置本体４内に入れるときに、この入れる動作をスムーズに行うことができる。
【００２５】
尚、本発明における抑制手段は、上記した各例に限定されるものではなく、装置本体４のガイドボス５が嵌まり込むガイドレール３によってトレイ本体１がガイド移動される際に、このトレイ本体１が引き出される動作の最後において、このトレイ本体１の移動動作速度を抑制する形状のものであればよいことは勿論である。
【図面の簡単な説明】
【００２６】
【図１】本発明のディスク装置におけるトレイ本体の裏面図である。
【図２】同ディスク装置における装置本体の概略平面図である。
【図３】図２の装置本体にトレイ本体を組み込んだ状態の概略平面図である。
【図４】ディスク装置におけるトレイ本体のガイドレール後端部分の形状を示す部分拡大裏面図である。
【図５】ディスク装置におけるトレイ本体のガイドレール後端部分の第２例の形状を示す部分拡大裏面図である。
【図６】ディスク装置におけるトレイ本体のガイドレール後端部分の第３例の形状を示す部分拡大裏面図である。
【図７】従来のディスク装置におけるトレイ引き出し時の動作を説明するための側面図である。
【符号の説明】
【００２７】
１        トレイ本体
２        ラック
３        ガイドレール
３ａ      後端
３ｂ      略く字形の屈曲部
３ｃ      略く字形の肉盛り部
４        装置本体
５        ディスクトレイ移動用ガイドボス
６        駆動モータ
７        ギヤ群
８        ピニオンギヤ
【図１】
2005317080.tif 000003
【図２】
2005317080.tif 000004
【図３】
2005317080.tif 000005
【図４】
2005317080.tif 000006
【図５】
2005317080.tif 000007
【図６】
2005317080.tif 000008
【図７】
2005317080.tif 000009